(57)【特許請求の範囲】
【請求項１】
岩盤の穴に埋め込まれて植物を育成する有底の岩盤緑化用筒状容器であって、該筒状容器の軸方向の側面が複数の細長い木材のスライス薄板を組み合わせて形成され、該スライス薄板で覆われていない開口部を複数個有する岩盤緑化用筒状容器において、該筒状容器の複数のスライス薄板が軸線に対して傾斜するように巻き回され、該傾斜方向とは逆方向に傾斜して巻き回された別の複数のスライス薄板と重なるように織られてなる岩盤緑化用筒状容器。
【請求項２】
前記開口部の夫々の面積の合計が側面の表面積の３〜４０％であることを特徴とする請求項１記載の岩盤緑化用筒状容器。
【請求項３】
前記筒状容器に、下記吸水性樹脂が混入された植物育成用媒体に植物が植えられてなることを特徴とする請求項１または２記載の岩盤緑化用筒状容器。
吸水性樹脂：吸水性樹脂１重量部を２５℃のイオン交換水１００重量部に吸水させた時の含水ゲルの電気伝導率が０〜２．０ｍＳ／ｃｍであり、且つ２５℃のイオン交換水の吸水倍率が８０〜１０００倍。
【請求項４】
前記植物育成用媒体が、前記吸水性樹脂および二種以上の植物育成用担体を含み、少なくとも一つの植物育成用担体が水により粘性を発現する鉱石系担体である水膨潤性のペレット状植物育成用媒体であることを特徴とする請求項３記載の岩盤緑化用筒状容器。
【請求項５】
下記五つの工程を含む請求項１〜４のいずれか１項に記載の岩盤の緑化用筒状容器の製造法。
工程１  二枚のスライス薄板を夫々反対側に巻き回して両端を接着した薄板セットを作成する
工程２  別にリング状薄板を作成する
工程３  前記複数の薄板セットを組み合わせて一方の端を前記リング状薄板で固定したプレ容器−１を作成する
工程４  前記複数の薄板セットを組み合わせて両端をリング状薄板で固定したプレ容器−２を作成する
工程５  容器の底を作成する
【請求項６】
請求項１〜４のいずれか１項に記載の筒状容器に、前記吸水性樹脂が混入された植物育成用担体および水を含む植物育成用媒体に植物を植えて養生し、養生後筒状容器を取り出し、岩盤に形成された穴に前記植物が植えられた筒状容器をそのまま挿入して固定する岩盤緑化用筒状容器の使用方法。 
【発明の詳細な説明】
【技術分野】
【０００１】
本発明は岩盤の緑化に用いられる筒状容器、その製造法およびその使用方法に関するものである。
【背景技術】
【０００２】
岩盤やコンクリートなどの土壌がないか乏しい面を緑化する方法として、本発明者らは、次の三つの工程からなることを特徴とする無土壌法面の緑化方法を提案した（特許文献１）。（１）特定の吸水性樹脂、植物育成用担体および水の混合物を入れた筒状容器に植物を植えて養生する工程、（２）無土壌法面（植栽土壌を有さない面のこと）に少なくとも前記筒状容器が入る大きさと深さの穴を形成する工程、および（３）前記穴に前記植物が植えられた筒状容器をそのまま挿入、または植物が植えられた前記混合物を筒状容器から取り出して挿入する工程。
その方法において、上記の様に植物を育成するための筒状容器を用いている。この筒状容器はプラスチック製の成形品が好ましく、さらにこの容器には孔があけられていてもよいが底に設けるのが好ましいこと、該筒状容器には袋を入れて植物を養生し袋ごと取り出し穴に入れることが好ましいことなどが記載されている。
【先行技術文献】
【特許文献】
【０００３】
【特許文献１】特開２０１２−３４６４８号公報
【発明の概要】
【発明が解決しようとする課題】
【０００４】
しかしながら、この筒状容器はプラスチック製であるので穴に入れられた後形状が壊れることはなくいつまでも根の育成を抑制し、しかも容器にあけられた孔は小さいものであり、植物の根がこの孔以上には根は大きくならず、また袋を入れたりすると根が袋の外に出られず植物の根の育成を阻害してしまうという問題がある。
【０００５】
本発明の目的は、木材を用いて作成される、岩盤の穴に埋め込まれて植物を育成する有底の筒状容器であって、植物養生時および岩盤に埋められた際筒状容器の外の土壌に植物が根を伸張し植物の生育を抑制せず、また筒状容器を運搬する時は中の植物育成用媒体をしっかりと保持することができる筒状容器を提供することである。
【課題を解決するための手段】
【０００６】
本発明者らは、上記の課題に鑑み、鋭意研究の結果、木材のスライス薄板を用いて筒状容器の側面に複数の開口部があるように形成すれば、岩盤に植物を育成するのにより有利な容器であることを見出し、本発明を完成するに至った。
本発明は、岩盤の穴に埋め込まれて植物を育成する有底の岩盤緑化用筒状容器であって、該筒状容器の軸方向の側面が複数の細長い木材のスライス薄板を組み合わせて形成され、該スライス薄板で覆われていない開口部を複数個有する岩盤緑化用筒状容器において、該筒状容器の複数のスライス薄板が軸線に対して傾斜するように巻き回され、該傾斜方向とは逆方向に傾斜して巻き回された別の複数のスライス薄板と重なるように織られてなる岩盤緑化用筒状容器である。
【０００７】
さらに本発明は、該開口部の夫々の面積の合計が側面の表面積の３〜４０％であることを特徴とする。
【０００８】
さらに本発明は、前記筒状容器に、下記吸水性樹脂が混入された植物育成用媒体に植物が植えられてなることを特徴とする。
吸水性樹脂：吸水性樹脂１重量部を２５℃のイオン交換水１００重量部に吸水させた時の含水ゲルの電気伝導率が０〜２．０ｍＳ／ｃｍであり、且つ２５℃のイオン交換水の吸水倍率が８０〜１０００倍。
【０００９】
さらに本発明は、前記植物育成用媒体が、前記吸水性樹脂および二種以上の植物育成用担体を含み、少なくとも一つの植物育成用担体が水により粘性を発現する鉱石系担体である水膨潤性のペレット状植物育成用媒体であることを特徴とする。
【００１０】
また本発明は、下記五つの工程を含む上記筒状容器の製造法である。
工程１  二枚のスライス薄板を夫々反対側に巻き回して両端を接着した薄板セットを作成する
工程２  別にリング状薄板を作成する
工程３  前記複数の薄板セットを組み合わせて一方の端を前記リング状薄板で固定したプレ容器−１を作成する
工程４  前記複数の薄板セットを組み合わせて両端をリング状薄板で固定したプレ容器−２を作成する
工程５  容器の底を作成する
【００１１】
また本発明は、上記筒状容器に、前記吸水性樹脂が混入された植物育成用担体および水を含む植物育成用媒体に植物を植えて養生し、養生後筒状容器を取り出し、岩盤に形成された穴に前記植物が植えられた筒状容器をそのまま挿入して固定する岩盤緑化用筒状容器の使用方法である。 
【発明の効果】
【００１２】
本発明によれば、筒状容器の軸方向の側面にスライス薄板で覆われていない開口部を複数個有するので、植物を養生する際および岩盤に埋め込まれた後、植物の根が開口部を通過し筒状容器の外部に出て十分に根を伸張することができ、植物の生育を阻害しない。また、該筒状容器の側面が木材のスライス薄板で形成されているので、筒の形状保持性が良好となり、中に植物育成用媒体を入れてもしっかりと筒の形状を保持でき、筒の運搬時にも崩れることがない。
また、木材を用いているので、筒は自然に分解していき、筒状容器を埋めた箇所に容器の枠は残らなくなる。また、通常の木材はもちろん間伐材や廃材でも使用できるので筒状容器が安価に作成できるという利点もある。
【００１３】
本発明によれば、筒状容器の複数のスライス薄板が軸線に対して傾斜するように巻き回され、該傾斜方向とは逆方向に傾斜して巻き回された別の複数のスライス薄板と重なって織られているので、複数の開口部が容易に且つ均一に形成できるとともに、容器の形状保持性がさらに良好となり、筒状容器に植物を植えた後運搬する際にも崩れることがない。
本発明によれば、該開口部の夫々の面積の合計面積が側面の表面積の３〜４０％であるので、植物の根が容易に容器の外に伸張することができ、根の生育を阻害しない。
【００１４】
本発明によれば、植物育成用媒体の中に植物の生育に適した吸水性樹脂を保水向上剤として用いているので、最初に給水しておけば長期間水をやらなくても植物は枯れることがない。
本発明によれば、上記植物育成用媒体が、上記吸水性樹脂および二種以上の植物育成用担体を含み、少なくとも一つの植物育成用担体が水により粘性を発現する鉱石系担体である水膨潤性のペレット状植物育成用媒体であるので、給水したときに植物育成用媒体の粘性が大きくなり、筒状容器の開口部から植物育成用媒体が漏れることがより少なくなる。
【００１５】
本発明の筒状容器の製造法によれば、複数の薄板セットを組み合わせて両端をリング状薄板で固定するので、容易且つ効率的に筒状容器を作成できると共に、より均一の大きさの開口部を形成できるので、筒状容器に植えられた植物の根の生育を阻害しない。
【００１６】
本発明の筒状容器を用いて岩盤緑化する方法は、植えられた植物は筒状容器の外に十分に根を伸張させしっかりと岩盤に根付かせることができる。
【図面の簡単な説明】
【００１７】
【図１】本発明の実施の一形態に係る、筒状容器の斜視図を示した。
【図２】本発明の実施の一形態に係る、筒状容器の作成工程における心棒を用いて薄板セットを作成するときの斜視図を示した。図２（ａ）は心棒に二枚の薄板を巻き回したときの斜視図を示し、図２（ｂ）は心棒から取り外した薄板セットの斜視図を示し、図２（ｃ）は心棒の側面からみた薄板セットの側面図である。
【図３】本発明の実施の一形態に係る、筒状容器の作成工程におけるリング状薄板と心棒の側面図を示した。
【図４】本発明の実施の一形態に係る、筒状容器の作成工程における複数の薄板セットを組み合わせて一方の端をリング状薄板で固定したときの斜視図を示した。
【図５】本発明の実施の一形態に係る、筒状容器の作成工程における複数の薄板セットを組み合わせて両端をリング状薄板で固定したときの斜視図を示した。
【図６】本発明の実施の一形態に係る、筒状容器の作成過程における底を作成した筒状容器の斜視図を示した。
【発明を実施するための形態】
【００１８】
以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００１９】
本発明の筒状容器は、容器の軸方向の側面が複数の細長い木材のスライス薄板を組み合わせて形成され、該スライス薄板で覆われていない開口部を複数個有する。複数のスライス薄板の組み合わせは、側面を形成する際に複数の開口部を形成すれば特に限定はない。たとえば、木材の複数のスライス薄板が筒状容器の軸線に対して平行に伸びて形成され、中間を薄板か他の材料で巻いたり、結合したようなもの、容器の側面の骨格を木材板や棒で作成し、その外側に複数のスライス薄板を播き付けたようなものでもよい。
【００２０】
好ましいスライス薄板の組み合わせは、筒状容器が、前記複数のスライス薄板が軸線に対して傾斜するように巻き回され、該傾斜方向とは逆方向に傾斜して巻き回された別の複数のスライス薄板と重なって織られてなるように形成されたものである。このようにすればスライス薄板を互い違いにまたは格子状に似せて重ねることができ、また開口部も菱形状もしくはその類似形状または矩形状のものとなり、その形状、大きさが似通ったものができやすく（本発明においては均一という）、植物の根が開口部を通過して伸張しやすく、さらに植物の生育を阻害しにくい。また、筒の底部まで伸張しやすいという利点もある。
【００２１】
図１に本発明の実施の一形態に係る筒状容器の斜視図を示した。
筒状容器１の両端には「リング状薄板」２が形成されており、一方のリング状薄板２から細長いスライス薄板３が軸方向に対して傾斜するように伸びて巻き回されており、この傾斜方向とは逆方向に傾斜して伸びて巻き回された別のスライス薄板３と重なって織られてなるように形成され、他方のリング状薄板２に連結されている。二枚のスライス薄板が重なる部分５は最初の結合部分６とは丁度反対側の部分にある。また。スライス薄板３が交差して形成された、薄板に覆われていない部分（開口部）７は細長い菱形状であり筒の側面の全体にほぼ均一に存在している。このように形成された筒状容器１は、植物育成用媒体を中に入れた場合でも形状保持性が良好であるとともに、開口部７は比較的広く植物の根が自由に通過しやすい。このリング状薄板は「輪っぱ」ということもある。
【００２２】
本発明に使用される木材のスライス薄板は、木材を切断することにより得られる。幅、厚さ、長さは筒状容器が作成できれば限定はないが、幅１０〜３０ｍｍ、厚さ０．８〜１．５ｍｍが好ましく、幅２０〜２５ｍｍ、厚さ１．２ｍｍがより好ましい。長さは任意である。幅１０〜３０ｍｍであると容器を作成した時に複数個の開口部が容易に形成でき且つ形状保持性が良好である。厚さ０．８〜１．５ｍｍであると、薄板が折れずに容易に作成でき形状保持性が良好であり、植物育成用媒体を中に入れても形状が保持できる。
【００２３】
木材スライス薄板の素材は特に限定はないが、松、杉、檜、ポプラの軟質木材が好ましく用いられる。また、この木材のスライス薄板はそのまま使用してもよいが、筒状容器作成時に巻き回されるので柔軟性に富む材質が好ましい。たとえば、沸騰水に浸漬するか、高温蒸気中にて蒸すか、あるいは高温蒸気発生装置の蒸気内を通過させるかなどして、木材の使用に適した高温加湿をおこない柔軟性を付与する。好ましくは沸騰水で１時間程度浸漬である。このようにすることにより、木材のスライス薄板に柔軟性が付与でき、筒状容器に形成する際にスライス薄板が折れにくく巻き回すことができる。
また、「リング状薄板」となる部分は木材が好ましく、上記の側面に用いられるスライス薄板を使うのが柔軟性があるのでより好ましい。
また、上記スライス薄板は一枚でもよく二枚以上に積層されたものを用いてもよいが、柔軟性の面から一枚の単板が好ましい。
【００２４】
筒状容器は以下の五つの工程で作成できるが、これに限定されない。
１．二枚のスライス薄板を夫々反対側に巻き回して両端を接着した薄板セットの作成
図２に心棒８を用いて薄板セット４を作成するときの斜視図を示した。図２（ａ）は心棒に二枚の薄板を巻き回したときの斜視図を示し、図２（ｂ）は心棒から取り外した薄板セットの斜視図を示し、図２（ｃ）は心棒の側面からみた薄板セットの側面図である。
金属製の円筒状の心棒８（たとえば、外径４ｃｍ、長さ４０ｃｍ）および二枚の同じ長さのスライス薄板３を準備し、心棒８の一つの端に二枚のスライス薄板３の端を重ねて（重なる部分６）、一つのスライス薄板３を心棒８の軸に傾斜するように巻き回し、別のスライス薄板３を逆方向に傾斜して巻き回し、最初に重ねた箇所とは１８０度逆になる反対側の箇所で二枚のスライス薄板３を出合わせて（重なる部分５）、両端を接着し（以下、このように二枚のスライス薄板の両端が接着したものを「薄板セット」４という）、心棒８から取り外す。このような薄板セット４を４個作成する。
図２（ｃ）をみれば、二枚のスライス薄板３は側面からみれば円を描くように巻き回されて両端が接着されていることがわかる。
【００２５】
２．リング状薄板の作成
図３に作成したリング状薄板２と心棒９の側面図を示した。
上記１に用いた心棒８よりやや大き目の金属製の円筒状の心棒９（たとえば、外径５ｃｍ、長さ５０ｃｍ）を縦にセットし、心棒９の下端に一枚のスライス薄板３を巻き付けリング状薄板２を作成し、接着剤で固定する。余分のスライス薄板はカットしておく。この場合、接着部分を押さえて接着すればよいが、瞬間接着剤を用いるのが時間的に速く接着できるので好ましい。
【００２６】
３．複数の薄板セットを組み合わせて一方の端をリング状薄板２で固定したプレ容器−１の作成
図４に複数の薄板セット４を組み合わせて一方の端をリング状薄板２で固定したときの斜視図を示した。リング状薄板２の上に４個の薄板セット４を心棒９の周りに均等に配置し、１個の薄板セット４の一方の端をリング状薄板２に接着し、残りの薄板セット４を順番に心棒９の周りに巻き回すように取り付けて４個の薄板セット４を固定する。さらにこの上からスライス薄板３でリング状薄板２を作成して４個の薄板セット４を固定しプレ容器−１を作成する。これを心棒９から取り外す。
【００２７】
４．複数の薄板セットを組み合わせて両端をリング状薄板で固定したプレ容器−２の作成
図５に複数の薄板セット４を組み合わせて両端をリング状薄板２で固定したときの斜視図を示した。
上記２と同様にして心棒９の下端にリング状薄板２を作成しておき、このリング状薄板２の上に３で取り外したプレ容器−１を逆にして４個の薄板セット４の端を接着する。さらにこの上から３と同様にしてリング状薄板２を作成して４個の薄板セット４を固定しプレ容器−２を作成する。
【００２８】
５．容器の底の作成
図６に一つの実施形態の底のある筒状容器の斜視図を示した。
プレ容器−２を心棒９から取り外し、片方の端に底を取り付ける。底は植物育成用媒体が落ちなければ底に孔があってもなくてもよく特に限定はなく、板状のもの、棒状のものおよびそれらの組み合わせでもよい。図６においては、リング状薄板２の対面に孔１０を穿け、細い木の棒１１を落ちないように取り付け、これを３個均等にとりつけている。その個所から植物育成用媒体が落ちにくければよい。このようにして両端がリング状薄板２で固定された４個の薄板セット４からなる有底の筒状容器が完成する。
【００２９】
このようにして作成された筒状容器の大きさは特に限定はないが、たとえば直径は外径４０〜７５ｍｍ、内径４５〜６５ｍｍが好ましい。長さは２５〜５０ｃｍが好ましい。これらは植えられる植物の種類、植物が成長したときの状態、岩盤の状態などによって決めるのが好ましい。
【００３０】
開口部は複数個有すればよいが、好ましくは５〜３０個である。５個以上であると筒状容器の外に植物の根が多く出て植えられた箇所にしっかりと根付くことができる。３０個以下であると１個の開口部が小さくなりすぎず開口部を通過した根が大きくなることができる。
一つの開口部の大きさは好ましくは１〜１０ｃｍ２である。１ｃｍ２以上であると開口部を通過する根が大きくなり、１０ｃｍ２以下であると植物育成用媒体が開口部からこぼれることがより少ない。また開口部の面積の合計が側面の表面積の３〜４０％を占めるのが好ましく、５〜３０％を占めるのがより好ましい。３％以上であれば筒状容器全体の観点において開口部から植物の根が通りやすく、４０％以下であれば開口部から植物育成用媒体が漏れにくく、且つ筒状容器の形状保持性がよい。
【００３１】
筒状容器の形状は、製造面から円筒状が好ましい。容器の大きさ（直径）は植物が植えられれば限定はないが、４０〜１００ｍｍが好ましく、５０〜７０ｍｍが特に好ましい。４０〜１００ｍｍであると植物を十分に植えることができ、岩盤に筒状容器を埋め込みやすい。５０〜７０ｍｍであると、穴を開けるのに削岩機を用いた場合、削岩機で形成される穴の大きさは７５ｃｍ程度であるので、さらに穴に入れ易いと共に移植後の植物が固定されやすい。筒状容器の長さは、穴の深さより短く、容器中で植物が根付けば限定はないが、好ましくは穴の深さの半分程度でよく、たとえば２０〜６０ｃｍであり、２０〜４０ｃｍがコンパクトにできるので特に好ましい。
【００３２】
本発明において、筒状容器には植物を育成するための植物育成用媒体が入れられるが、植物育成用媒体は植物育成用担体に水を含ませたものである。
植物育成用担体としては、植物体育成に適する物質として一般的に使用されているものでよく、特に制限されない。たとえば、無機物質及び／又は有機物質などの粉末、多孔体、ペレット状、繊維状及び発泡体などの水不溶性の固状のものが使用できる。無機物質としては、無機質粉体（土壌、砂、フライアッシュ、珪藻土、クレー、タルク、カオリン、ベントナイト、ドロマイト、炭酸カルシウム、アルミナなど）；無機質繊維（ロックウール、ガラス繊維など）；無機質多孔体［フィルトン（多孔質セラミック、くんたん）、バーミキュライト、軽石、火山灰、ゼオライト、シラスバルーンなど］；無機質発泡体（パーライトなど）などが挙げられる。
【００３３】
有機物質としては、有機質粉末［モミガラ、木くず、木粉など］、有機質繊維［天然繊維〔セルロース系のもの（オガクズ、ワラなど）、草炭、羊毛など〕、人造繊維（レーヨン、アセテートなど）、合成繊維（ポリアミド、アクリルなど）、パルプ〔メカニカルパルプ（丸太からの砕木パルプなど）、ケミカルパルプ（亜硫酸パルプ、ソーダパルプ、硫酸塩パルプなど）、セミケミカルパルプ、再生パルプなど〕、その他廃材（紙オムツの製造より出る廃材など）など］、有機質多孔体（ヤシ殻活性炭など）、有機質発泡体［穀物、合成樹脂又はゴムの発泡体（ポリスチレン発泡体、ゴムスポンジなど）など］、有機質ペレット［ゴム及び合成樹脂のペレットなど］などが挙げられる。上記の植物体育成用担体は、単独で、あるいは必要に応じて２種類以上併用してもよい。これらのうち好ましいものは、吸水性のある無機質粉体、無機質多孔体、無機質発泡体、有機質繊維であり、より好ましいものは土壌である。また、土壌と土壌以外の吸水性のある植物育成用担体を混合して用いるのが特に好ましい。
【００３４】
植物育成用担体には、さらに吸水性樹脂を混入させて保水性を向上させるのが好ましい。吸水性樹脂は水を吸収して含水ゲルとなる。
吸水性樹脂は、吸水性樹脂１重量部を２５℃のイオン交換水１００重量部に吸水させた時の含水ゲルの電気伝導率が０〜２．０ｍＳ／ｃｍであり、且つ２５℃のイオン交換水の吸水倍率が８０〜１０００倍であれば特に限定はない。この吸水性樹脂は、植物の根の生長を阻害しないので、筒状容器で植物を養生してもうまく根付くことができ、さらに養生時または岩盤に移行後長期間雨が降らなくても枯らすことなく植物を成育させる。吸水性樹脂の上記数値範囲は、特開２００７−３１９０２９号公報の記載に準じている。
【００３５】
このような吸水性樹脂は、（メタ）アクリル酸ヒドロキシエチルなどのノニオン性水溶性エチレン性不飽和単量体（Ａ）単独からなる重合体（Ｘ）、（メタ）アクリル酸などのアニオン性水溶性エチレン性不飽和単量体（Ｃ）単独からなる重合体（Ｙ）、およびノニオン性水溶性エチレン性不飽和単量体（Ａ）とアニオン性水溶性エチレン性不飽和単量体（Ｂ）を構成単位とする共重合体（Ｚ）からなる。（Ｘ）、(Ｙ)、(Ｚ)のみで使用することも可能であり、（Ｘ）、(Ｙ)、(Ｚ)を２種類以上混合して使用することも可能である。これらの内、（Ｙ）または（Ｚ）のアニオン性の重合体からなる吸水性樹脂が特に植物の根の生長を阻害しないので、筒状容器内で植物を養生してもうまく根付くことができ、さらに岩盤に移植して長期間雨が降らなくても植物が枯れることがない。
本発明に適用される吸水性樹脂は特開２００７−３１９０２９号公報に記載されたものが好適に使用できる。
【００３６】
植物育成用担体と吸水性樹脂を混合する場合は、これらを筒状容器内で混合してもよいが、別の容器で混合してから入れる方が均一になるので好ましい。また、これらを同時に入れて混合してもよいが、吸水性樹脂と水を混合して含水ゲルを作成した後、植物育成用担体を入れて混合するのが、吸水性樹脂が均一に含水ゲルになるので好ましい。
また、植物育成用担体と吸水性樹脂を先に混合して、混合した粉体を筒状容器に入れた後、上から水を入れる方法は作業性がよく効率的である。この場合は、筒状容器の長さの７〜８分目程度に混合した粉体を入れておくのがよい。
【００３７】
吸水性樹脂と水の割合は、吸水性樹脂の吸水倍率、植物の種類により異なるが、重量比で好ましくは１：１０〜１：１０００であり、より好ましくは１：２０〜１：５００である。１：１０〜１：１０００であれば、筒状容器内で植物が根付き開口部から根が出ていくことができ、植物を岩盤に移植した後も長期間植物が枯れることがない。
【００３８】
植物育成用担体と吸水性樹脂との比率は特に限定はないが、好ましくは植物育成用担体の重量に対して吸水性樹脂が０．５〜１０重量％である。０．５重量％以上であると植物の根を枯らさないように給水することができ、１０重量％以下であると吸水性樹脂が水を多く含んで膨潤し植物を固定しにくくなることがない。特に好ましくは０．２〜５重量％である。この範囲であると植物をさらにしっかりと固定しながら植物に十分給水することができる。
【００３９】
また、上記の植物育成用担体と吸水性樹脂の混合物としては、ペレット状のものが使いやすくて好ましい。ペレットとしては、上記吸水性樹脂および植物育成用担体を含んでペレット状にしたものなら限定はないが、その中でも無機質系植物育成用担体を二種以上含み、少なくとも一つの植物育成用担体が水により粘性を発現する鉱石系担体である水膨潤性のペレットが特に好ましい。
「二種」とは、種類の異なる植物育成用担体の混合をいい、たとえば、一つの鉱石系担体と他の無機質系担体、一つの鉱石系担体と別の種類の鉱石系担体などが挙げられる。「二種以上」とはこれらに加えてその他の無機質系植物育成用担体を含むことをいう。水により粘性を発現するとは、担体の表面を水で濡らした際に手で触った時に粘着性が明確に確認できる状態を指す。少なくとも一つの無機質系植物育成用担体が水により粘性を発現すると、担体同士が湿潤状態で結合しやすく、また吸水性樹脂をも結合するので乾燥すれば良好なペレットを作成することができる。水により粘性を発現する鉱石系担体とは別の担体は、粘性があってもなくてもよいが、植物成長の主たる基盤となるのが好ましい。
【００４０】
水により粘性を発現する鉱石系単体としては、たとえば、セリサイト、パイロフィライト、ガレオナイト、スメクタイト、モンモリロナイト、カオリナイト、ベントナイトなどの含水ケイ酸アルミニウム系の粘土鉱物、セピオライトなどのフィロケイ酸塩などが挙げられる。
【００４１】
吸水性樹脂と上記植物育成用担体を混練・乾燥してペレットとしたものは、吸水性樹脂の粒子の中に担体の粉末が侵入するか、またはその逆の状態が形成され、両者が細部においてより均一になっている。したがって、単に土壌に吸水性樹脂の粒子を混合したものに比較して、植物は水や栄養分を同時に吸収しやすい状態、いわゆる植物の生育に有利な状態になっている。土壌に吸水性樹脂を単に配合したもの、または吸水性樹脂の水系ゲルのみの場合に比較して、植物の生育にとり有利となり、植物の生育が促進されると考えられる。また、細部において担体と吸水性樹脂が均一でより一体化され、しっかりとしたペレットであっても吸水性樹脂が吸水膨潤して早く崩壊して植物育成用媒体となることができる。このようなペレットとしては、特開２０１２−０８０７８８号公報、特開２０１２−０８０７８５号公報に記載の水膨潤性の植物育成用ペレットが好適に使用できる。
【００４２】
上記の混合物、ペレットには、肥料、植物生長ホルモン、抗菌剤、微量要素、防カビ剤などの当分野で公知の成分を含有させてもよい。肥料は、天然肥料でも、化学肥料であってもよいし、即効性肥料、遅効性肥料のいずれも使用することができる。
【００４３】
本発明の筒状容器に、前記吸水性樹脂が混入された植物育成用担体および水を含む植物育成用媒体に植物を植えて養生し、養生後取り出し、岩盤に形成された穴に上記植物が植えられた筒状容器をそのまま挿入して固定する。筒状容器の使用方法は、特開２０１２−３４６４８号公報に記載の方法が好適に適用できる。本発明においては、岩盤とは通常の岩盤の他、硬い土、コンクリートのような植物が生育しにくいところも含めるとする。
上記の混合物またはペレットを筒状容器に入れた後、苗木を植えて養生する。養生期間は植物によって異なるが、好ましくは１週間ないし数ケ月程度である。養生条件は植物によって異なるが、通常の養生条件が適用できる。養生する際には、筒状容器だけで養生してもよいが、土壌に穴を掘り、土壌になじませて育成するとしっかりと根付くので好ましい。この間に植物の根は筒状容器の開口部から出て外部の土壌に伸張しなじみ生長促進を図れる。また、養生させた後、筒状容器を植物ごと引き抜いて緑化する場所まで運搬するが、その際に筒状容器の開口部から植物育成用媒体が漏れることが少ない。
【００４４】
養生とは別に、岩盤に植物を入れた筒状容器の入る穴を形成する。穴の形状は特に限定はないが、円筒状が好ましい。穴の大きさも限定はないが施工作業の面から４０ｍｍ〜１５０ｍｍが好ましい。特に削岩機を用いて穴をあける場合には、６０ｍｍ〜８０ｍｍの大きさが好ましい。削岩機を用いると通常約７５ｃｍの幅の穴が形成される。岩盤が法面である場合には、穴は水平方向に対して容器の深さ方向の中心線が３０°〜９０°になるようにあけるのが好ましい。穴の深さは限定ないが施工作業上４０ｃｍ〜１ｍが好ましく、５０〜７０ｃｍがより好ましい。
【００４５】
穴に筒状容器などを挿入する場合、筒状容器をそのまま挿入できる。最初に半分程度上記の混合物またはペレットを入れておき続いて水を入れ、その後筒状容器を挿入するのが好ましい。挿入された筒状容器の入口がほぼ岩盤の表面と同レベルか若干高めの位置にくるようにし、その際に筒状容器と岩盤の間の空隙にはその空隙を満たすように混合物またはペレットを入れるのが好ましい。このようにして筒状容器などを穴に固定することができ、苗木が岩盤に固定される。
【００４６】
植物は生育が進むと根が筒状容器の開口部を経由して外部の植物育成用媒体に根を出す。これによって植物は岩盤に根付くことになる。さらに岩盤に亀裂がある場合は亀裂に根が入り、岩盤と一体化して根付く。植物は植えられた後、筒状容器の中だけでも生きることができるが、筒状容器の外にも同様に植物が生育できる植物育成用媒体がある方が根の勢いがあるので好ましい。  
【００４７】
本発明の筒状容器に入れて緑化するための植物としては特に限定はないが、苗木が好ましい。苗木としては、岩盤の緑化に通常用いられている各種の樹木の苗木を特に制限なく用いることができるが、通常、岩盤の緑化目標に合わせて、その土地の周辺の植生に適合した植物や景観形成に役立つ植物を選択して用いるが限定はない。たとえば、スダジイ、ツブラジイ、アラカシ、ウラジロガシ、シラカシ、アカガシ、タブノキ、ヤブニッケイ、シロダモ、ヤブツバキ、モチノキ、ヒサカキ、アオキ、ブナ、ミズナラ、ハウチワカエデ、ヤマモミジ、イタヤカエデ、シラカンバ、ダケカンバ、ミヤマザクラ、マユミ、ツリバナ、ケヤキ、ハルニレ、サワグルミ、カツラ、モミ属、ツガ属、マツ属、クロモジ、マンサク、アオキ、ヤブツバキ、ユズリハ、イヌツゲ、ヤマシキミ、シャクナゲ、ニチニチソウ、カエデ、チョウセンレンジュ、カシなどを選択することができる。これらの内マツ属などが好適に用いられる。
【００４８】
以下実施例にて本発明を説明するが、これらに限定されない。
（実施例１）筒状容器の作成
前記の筒状容器の作成法に準じて作成した。
外径４ｃｍ、長さ４０ｃｍの金属製の円筒状の心棒の端に、沸騰水に１時間浸漬して乾燥した厚さ１．０ｍｍ、幅２５ｍｍ、４５ｃｍの二枚の同じ長さのスライス薄板の端を重ねて、一つのスライス薄板を心棒の軸に傾斜するように巻き回し、別のスライス薄板を逆方向に傾斜して巻き回し、最初に重ねた箇所とは１８０度逆になる反対側の箇所で二枚のスライス薄板を出合わせて、両端を瞬間接着剤で接着し「薄板セット」を作成した。同じものを計４個作成いた。
上記とは別の金属製の円筒状の心棒（外径５ｃｍ、長さ５０ｃｍ）を縦にセットし、心棒の端に一枚のスライス薄板を巻き、付けリング状薄板を作成し、接着剤で固定した。余分のスライス薄板はカットした。
リング状薄板の上に４個の薄板セットを心棒の周りに均等に配置し、１個の薄板セットの一方の端をリング状薄板に接着し、残りの薄板セットを順番に心棒の周りに巻き回すように取り付けて４個の薄板セットを固定した。さらにこの上からスライス薄板でリング状薄板を作成して４個の薄板セットを固定したプレ容器１を作成した。これを心棒から取り外した。
【００４９】
縦にした心棒の下の端にリング状薄板を作成しておき、このリング状薄板の上に取り外したプレ容器１を逆にして四枚の薄板セットの端を接着する。さらにこの上から上記と同様にしてリング状薄板を作成して４個の薄板セットを固定しプレ容器２を作成した。
筒の一方に底をつける方法について、一方のリング状薄板の対面に孔を穿ち、スライス薄板で幅２ｍｍ、長さ６０ｍｍの細い木の棒を落ちないように入れて、これを３個均等にとりつけて本発明の有底の筒状容器を作成した。この筒状容器は内径５ｃｍ、外径６ｃｍ、長さ３０ｃｍの円筒状であり、開口部は１５ケ所（個）あり、開口部の合計面積（６０ｃｍ２）の側面の面積（５６５ｃｍ２）に占める割合（比率）は１０．６％であり、開口部１個当たりの面積は４ｃｍ２／個であった。
【００５０】
（製造例１）水膨潤性ペレット状植物育成用媒体の製造
バーミキュライト（市販バーミキュライトを２０００μｍ以下に粉砕）６０重量部、「ＰＡＮＧＥＬＢ  ４０」（セピオライト、楠本化成社製、嵩密度２００ｇ／Ｌ）３０重量部に吸水性樹脂（架橋ポリアクリル酸塩型、吸水倍率２３０ｇ／ｇ、電気伝導率１．７ｍＳ／ｃｍ、重量平均粒子径２００μｍ、吸水速度  ３５０秒）１０重量部を加えて均一に混合したものを、「ＤＦ−１７」（カルボニル基含有ポリビニルアルコール、日本酢ビポバール社製）の１．５重量％水溶液２００重量部に加えてよく練りディスクペレッター型成形機にて径１０〜２０ｍｍの団子状に成型後、温度１２０〜１３０℃で加熱乾燥して固形化し密度０．６５ｇ／ｃｍ３のペレットを得た。このペレットを手で強く押さえたが形が崩れず保形性がよかった。またこのペレットに１５倍の水を加えると膨潤して崩壊した。
【００５１】
（実施例２）筒状容器の使用方法
上記に作成した筒状容器に、上記に製造したペレットを筒状容器の長さの７〜８分目まで入れた。そこにマツ苗木を植えた後、水１５０ｇを入れて吸水させた。同様にしてこれを１５本作成した。それを土壌に穴を掘って埋めて３ケ月間養生した。養生後この中から１１本を筒状容器ごと取り出した。この筒状容器を取り出したときは開口部から根が多く出ておりよく根付いていることを確認した。
【００５２】
岩盤法面に削岩機で直径６４ｍｍ、深さ５０ｍｍの穴を、１段目に６本、２段目に５本、２ｍ間隔で計１１本あけた。この穴のそれぞれに上記のペレットを半分程度入れ、その上から養生時と同じ割合になるように水を入れた後、松の苗木が入った筒状容器を穴に挿入した。隙間には上記のペレットと水の混合物を入れて固定した
この状態で２週間後に観察したが枯れていなかった。この２週間の間雨が降っていなかった。さらに６ケ月後に観察したが１１本とも枯れることなく大きく成長していた。幹は上方に向きを変えているのが明らかであった。その中の１本を抜き出して根を観察すると根が伸びて岩盤の裂け目に入っていることを確認した。本発明の筒状容器が岩盤の緑化に有効であることがわかった。
【符号の説明】
【００５３】
１  筒状容器
２  リング状薄板
３  スライス薄板
４  薄板セット
５、６  リング状薄板が重なる部分
７  開口部
８、９  心棒
１０  孔
１１  細い木の棒
【要約】
【課題】  木材を用いて作成される、岩盤の穴に埋め込まれて植物を育成する有底の岩盤緑化用筒状容器であって、植物養生時および岩盤に埋められた際筒状容器の外の土壌に植物が根を出し植物の生育を抑制せず、また筒状容器を運搬する時は中の植物育成用媒体をしっかりと保持することができる筒状容器をを提供する。
【解決手段】  岩盤の穴に埋め込まれて植物を育成する有底の岩盤緑化用筒状容器であって、該筒状容器の軸方向の側面が複数の細長い木材のスライス薄板を組み合わせて形成され、該スライス薄板で覆われていない開口部を複数個有する岩盤緑化用筒状容器である。
【選択図】  図１【図１】
0005470539.tif 000002
【図２】
0005470539.tif 000003
【図３】
0005470539.tif 000004
【図４】
0005470539.tif 000005
【図５】
0005470539.tif 000006
【図６】
0005470539.tif 000007